(57)【特許請求の範囲】
【請求項１】
下記１〜３の工程を含む便器の洗浄方法。
工程１：（ａ）アルキル基の炭素数が１４〜２２でエチレンオキサイド平均付加モル数が２０〜８０であるポリオキシエチレンアルキルエーテル、（ｂ）エタノール、及び水を含有し、２５℃における粘度が５０〜３０００ｍＰａ・ｓである便器用洗浄剤組成物を便器に塗布する工程。
工程２：工程１の後、１分〜３時間放置することで、工程１で塗布された組成物から（ｂ）を揮発させて塗布前の組成物よりも高粘度のゲルを形成させる工程。
工程３：工程２で形成させたゲルに水を適用して（ａ）と水とを含む洗浄媒体を生じせしめ、該洗浄媒体を便器に適用する工程。
【請求項２】
便器用洗浄剤組成物が（ａ）を１４〜６４質量％含有する、請求項１記載の便器の洗浄方法。
【請求項３】
便器用洗浄剤組成物が（ｂ）を２〜３０質量％含有する、請求項１又は２記載の便器の洗浄方法。
【請求項４】
便器用洗浄剤組成物が、内径８５ｍｍのガラス製シャーレに均一に１０ｇを塗布し、４０℃、湿度５０％で３時間乾燥させたとき、（ｂ）の揮発により、２５℃における粘度が１０Ｐａ・ｓ以上のゲルを形成する、請求項１〜３のいずれかに記載の便器の洗浄方法。
【請求項５】
工程２で形成されたゲルの粘度が、２５℃で１０Ｐａ・ｓ以上である、請求項１〜３のいずれかに記載の便器の洗浄方法。
【請求項６】
（ａ）アルキル基の炭素数が１４〜２２でエチレンオキサイド平均付加モル数が２０〜８０であるポリオキシエチレンアルキルエーテル、（ｂ）エタノール、及び水を含有し、２５℃における粘度が５０〜３０００ｍＰａ・ｓである、便器用洗浄剤組成物。
【請求項７】
（ａ）を１４〜６４質量％含有する、請求項６記載の便器用洗浄剤組成物。
【請求項８】
（ｂ）を２〜３０質量％含有する、請求項６又は７記載の便器用洗浄剤組成物。
【請求項９】
内径８５ｍｍのガラス製シャーレに均一に１０ｇを塗布し、４０℃、湿度５０％で３時間乾燥させたとき、（ｂ）の揮発により、２５℃における粘度が１０Ｐａ・ｓ以上のゲルを形成する、請求項６〜８のいずれかに記載の便器用洗浄剤組成物。
【発明の詳細な説明】
【技術分野】
【０００１】
本発明は便器用洗浄剤組成物及び便器の洗浄方法に関する。
【背景技術】
【０００２】
水洗便器の洗浄に関して、従来、タンク内の洗浄水に洗浄剤有効成分を溶出させて、持続的に便器の汚れを洗浄し、清潔な状態を保たせることを目的とした洗浄剤組成物が知られている。これらは、トイレ用のオートクリーナーとして知られている。
【０００３】
また、水洗便器の形態に制限されずに適用できる手段として、便器表面に徐溶性の被膜を形成して、持続的に便器の洗浄等を行う方法も知られている。例えば特許文献１〜２には、容器から吐出した成分が、任意の部分に対し付着固化した後、水によって徐溶化しながら有効成分を徐放することによって洗浄する洗浄方法が記載されている。
【０００４】
また、便器表面に徐溶性のゲルを付着させて、洗浄成分を徐放させて持続的に便器の洗浄等を行う方法も知られている。例えば特許文献３には、１５０００ｍＰａ・ｓ以上の粘度を有する剤を対象物に直接適用することが記載されている。
【先行技術文献】
【特許文献】
【０００５】
【特許文献１】特開２００５−１８７５１１号公報
【特許文献２】特開２００６−２０６８８２号公報
【特許文献３】国際公開第０２／２６９２５号パンフレット
【発明の概要】
【発明が解決しようとする課題】
【０００６】
洗浄成分を徐放する被膜を形成できる組成物を用いて便器を洗浄するにあたり、便器への塗布容易性（容器からの洗浄剤組成物の出しやすさ、便器への付着しやすさ、均一かつ広い範囲への洗浄剤組成物の塗布のしやすさ）と洗浄力の持続性に優れることが望まれる。
【０００７】
しかしながら、特許文献１に記載されている水溶解遅延成分と洗浄成分を含む組成物は乾燥過程が長時間になると難溶化や崩落を起こし、成分の徐溶特性が損なわれてしまう。また、特許文献２に記載されている水溶解遅延成分と薬剤成分と溶媒とを含む組成物は洗浄力に寄与する成分の含有量が少なく、十分な洗浄力を有していない。それに加えて、成分の徐溶特性も十分ではない。特許文献３に記載されている組成物は極めて高粘度であり、便器表面に組成物を貼り付けて、部分的に滞留するように設計されているため、便器表面に均一塗布する用途には適していない。
【０００８】
本発明の課題は、便器への塗布容易性と洗浄力の持続性に優れた便器用洗浄剤組成物を提供することである。
【課題を解決するための手段】
【０００９】
本発明は、（ａ）アルキル基の炭素数が１４〜２２でエチレンオキサイド平均付加モル数が２０〜８０であるポリオキシエチレンアルキルエーテル〔以下、（ａ）成分という〕、及び（ｂ）エタノール〔以下、（ｂ）成分という〕を含有し、２５℃における粘度が５０〜３０００ｍＰａ・ｓである、便器用洗浄剤組成物に関する。
【００１０】
また、本発明は、下記１〜３の工程を含む便器の洗浄方法に関する。
工程１：上記本発明の便器用洗浄剤組成物を便器に塗布する工程。
工程２：工程１の後、１分〜３時間放置することで、工程１で塗布された組成物から（ｂ）を揮発させて塗布前の組成物よりも高粘度のゲルを形成させる工程。
工程３：工程２で形成させたゲルに水を適用して（ａ）と水とを含む洗浄媒体を生じせしめ、該洗浄媒体を便器に適用する工程。
【発明の効果】
【００１１】
本発明によれば、便器への塗布容易性と洗浄力の持続性に優れた便器用洗浄剤組成物が提供される。
【発明を実施するための形態】
【００１２】
＜洗浄剤組成物＞
【００１３】
本発明の洗浄剤組成物の２５℃における粘度（以下、初期粘度という）は５０〜３０００ｍＰａ・ｓ、好ましくは１００〜２５００ｍＰａ・ｓ、より好ましくは１５０〜２０００ｍＰａ・ｓである。洗浄剤組成物の便器への付着性の観点より５０ｍＰａ・ｓ以上であり、組成物を容器に収容して用いる場合の排出容易性等の作業性の観点より３０００ｍＰａ・ｓ以下である。
【００１４】
本発明の洗浄剤組成物は、（ａ）成分として、アルキル基の炭素数が１４〜２２でエチレンオキサイド平均付加モル数が２０〜８０であるポリオキシエチレンアルキルエーテルを含有する。（ａ）成分は洗浄成分であるとともに、上記初期粘度の付与やエタノール揮発後の高粘度ゲルの形成に寄与する成分である。（ａ）成分のアルキル基の炭素数は１４〜２２であり、１６〜１８が好ましい。便器への付着性及び洗浄力持続性の観点から１４以上であり、容器からの組成物の抜き出しやすさの観点から２２以下である。また、（ａ）成分のエチレンオキサイド平均付加モル数は２０〜８０であり、２５〜７０、更に３０〜６０が好ましい。洗浄力持続性の観点から２０以上であり、便器への付着性の観点から８０以下である。本発明の洗浄剤組成物は、（ａ）成分を１４〜６４質量％、更に１５〜６０質量％、より更に２０〜５０質量％含有することが好ましい。洗浄力持続性及び便器への付着性の観点から１４質量％以上が好ましく、容器からの組成物の抜き出しやすさの観点から６４質量％以下が好ましい。
【００１５】
本発明の洗浄剤組成物は、（ａ）成分以外の洗浄成分を含有することができる。洗浄成分としては界面活性剤が好ましく、その中でも、（ａ）成分以外の非イオン性界面活性剤が好ましい。ここで、（ａ）成分以外の非イオン性界面活性剤としてはポリオキシエチレン（エチレンオキサイド平均付加モル数１〜６）鎖を有する界面活性剤が好ましく、具体的にはポリオキシエチレン（エチレンオキサイド平均付加モル数１〜６）アルケニル（炭素数８〜１８）エーテル、ポリオキシエチレン（エチレンオキサイド平均付加モル数１〜６）アルキル（炭素数８〜１８）フェニルエーテル、エチレンオキシド付加（エチレンオキサイド平均付加モル数１〜６）アルキル（炭素数８〜１８）基またはアルケニル（炭素数８〜１８）基含有非イオン性界面活性剤混合物、ポリオキシエチレン基（エチレンオキサイド平均付加モル数１〜６）含有アルキル（炭素数８〜１８）アミンオキサイド、ポリオキシエチレン基（エチレンオキサイド平均付加モル数１〜６）含有脂肪酸（炭素数８〜１８）アルカノールアミド等が挙げられる。
【００１６】
本発明の洗浄剤組成物は、（ｂ）成分として、エタノールを含有する。（ｂ）成分は、（ａ）成分とともに上記初期粘度の付与に寄与する成分であり、また、揮発性成分であるため、組成物から（ｂ）成分を揮発させることで組成物の粘度を上昇させることができる。本発明の洗浄剤組成物は、（ｂ）成分を２〜３０質量％、更に３〜１５質量％含有することが好ましい。容器からの組成物の抜き出しやすさ、及び均一且つ広い範囲に塗布できる観点から２質量％以上が好ましく、便器への付着性及び洗浄力の持続性の観点から３０質量％以下が好ましい。
【００１７】
本発明の洗浄剤組成物は、（ｂ）成分以外の揮発性のアルコールを含有することができる。ここで「揮発性成分」とは、２０℃の飽和蒸気圧が１ｋＰａ以上であり、２０℃、常圧で揮発する物質を指す。
【００１８】
本発明の洗浄剤組成物には、殺菌性を付与する目的で炭素数６〜１６、好ましくは８〜１４の炭化水素基を１つ又は２つ有する４級アンモニウム塩型の殺菌性を有するカチオン性界面活性剤を配合しても良い。
【００１９】
上記カチオン性界面活性剤としては、下記一般式（１）で表されるカチオン性界面活性剤及び一般式(２)で表されるカチオン性界面活性剤から選ばれる１種以上のカチオン性界面活性剤が好ましい。
【００２０】
【化１】
0005530788.tif 000002
【００２１】
〔式中、Ｒ1は炭素数８〜１８の炭化水素基又は
【００２２】
【化２】
0005530788.tif 000003
【００２３】
（式中Ｒ5、Ｒ6、Ｒ7、Ｒ9、Ｒ10はそれぞれ独立に炭素数１〜３のアルキル基であり、Ｒ8、Ｒ11、Ｒ12はそれぞれ独立に炭素数１〜３のアルキレン基である。）で表わされる基を示し、Ｒ2、Ｒ3はそれぞれ独立に炭素数１〜３のアルキル基を表し、Ｒ4は炭素数１〜３のアルキレン基を表す。Ｚ-は陰イオン基であり、好ましくはハロゲンイオン、アミノ酸イオン、脂肪酸セッケンアニオン残基、炭素数１〜３０の直鎖若しくは分岐鎖のアルキル基若しくはアルケニル基を有するリン酸エステルアニオン残基、ホスホン酸エステルアニオン残基、スルホン酸エステルアニオン残基若しくは硫酸エステルのアニオン残基、又は重合度３以上のスチレンスルホン酸イオンを有するか若しくは置換基として炭化水素基を有することがある多環式芳香族化合物のスルホン化物のホルマリン縮合物を含有するアニオン性オリゴマー若しくはポリマーを示す。〕
【００２４】
【化３】
0005530788.tif 000004
【００２５】
〔式中、Ｒ13及びＲ14はそれぞれ独立に炭素数６〜１４、かつＲ13及びＲ14の合計炭素数が１６〜２６の長鎖アルキル基、長鎖アルケニル基または長鎖ヒドロキシアルキル基を示し、Ｒ15及びＲ16は独立に炭素数１〜３のアルキル基、ヒドロキシアルキル基又は−（ＯＲ18）n−ＯＨ（式中Ｒ18は炭素数が２〜４のアルケニル基、nは１〜１０の数を示す。）で表される基を示し、Ｚ-は前記と同じ意味を示す。〕
【００２６】
一般式（１）中、Ｒ1として洗浄力の観点から炭素数６〜１８のアルキル基が好ましく、さらに炭素数８〜１４のアルキル基が好ましい。一般式（２）中、Ｒ13及びＲ14はそれぞれ独立に炭素数８〜１２のアルキル基が好ましい。また、一般式（１）及び（２）中のＺ-としては、ハロゲンイオンが好ましい。
【００２７】
上記カチオン界面活性剤の含有量は、殺菌性の点から、組成物中、０．１〜８質量％が好ましく、１〜５質量％がより好ましい。
【００２８】
本発明の洗浄剤組成物には、洗浄性を向上する目的でビルダー成分を配合しても良い。ビルダー成分としては、以下のものが挙げられる。
【００２９】
（ｉ）アスパラギン酸、グルタミン酸、グリシン等のアミノ酸、及びそのアルカリ金属塩又はアルカノールアミン塩。
【００３０】
（ii）ニトリロ三酢酸、イミノ二酢酸、エチレンジアミン四酢酸、ヒドロキシエチルエチレンジアミン三酢酸、ジエチレントリアミン五酢酸、グリコールエーテルジアミン四酢酸、ヒドロキシエチルイミノ二酢酸、トリエチレンテトラミン六酢酸、ジエンコル酸等のアミノカルボン酸、及びそのアルカリ金属塩又はアルカノールアミン塩。
【００３１】
（iii）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸等の有機酸、及びそのアルカリ金属塩又はアルカノールアミン塩。
【００３２】
これらの中でも、クエン酸、リンゴ酸等のヒドロキシカルボン酸、エチレンジアミン四酢酸、ヒドロキシエチルエチレンジアミン三酢酸等のアミノカルボン酸、及びこれらの塩が好ましい。塩の形態としては、ナトリウム塩、カリウム塩、アンモニウム塩、アルカノールアミン塩が好ましい。
【００３３】
上記ビルダー成分の含有量は、洗浄力の点から、組成物中、０．１〜５質量％が好ましく、特に０．２〜３質量％が好ましい。
【００３４】
本発明において、上記一般式（１）および（２）で示したカチオン性界面活性剤と、上記（ｉ）〜（iii）に記したビルダー成分を組合わせて使用することで、便器水封部に発生するリング汚れの防止効果がより向上する。そのため、カチオン界面活性剤とビルダー成分を組合わせて使用することが好ましい。カチオン界面活性剤とビルダー成分の重量比は、カチオン界面活性剤／ビルダー成分で１０／１〜１／１０の範囲であることが好ましい。この理由については明確ではないが、ビルダー成分とカチオン界面活性剤が弱い相互作用を起こし、カチオン界面活性剤が便器表面に吸着安定化することを防ぐことにより、リング汚れ発生の起因となる水封部内で殺菌効果を発現すると考えられる。
【００３５】
本発明の洗浄剤組成物は、上記各成分とともに水を含有する。水の含有量は、洗浄剤組成物の合計で１００質量％となるように調整する量である。つまり、洗浄剤組成物の残部は水である。
【００３６】
本発明の洗浄剤組成物は、（ｂ）成分であるエタノールの揮発により、揮発前の組成物の粘度よりも高粘度のゲルを形成する。具体的には、（ｂ）成分であるエタノールの揮発により形成されるゲルの粘度は、２５℃で１０Ｐａ・ｓ以上が好ましく、より好ましくは１００Ｐａ・ｓ以上、更に好ましくは１０００Ｐａ・ｓ以上である。このゲルの粘度は、洗浄剤組成物から（ｂ）成分が揮発した後に形成されるゲルの粘度であり、例えば、TOKIMEC VISCOMETER MODEL BM（TOKIMEC INC製）を用いて測定することができる。以下、このゲルの粘度を便宜的に「揮発後粘度」という。このような揮発後粘度を有するゲルは組成物からエタノールが十分揮発することで形成でき、上記した便器表面への塗布操作後に、便器が設置されている環境温度（例えば室温）で、１分間〜３時間、乾燥する方法が最も簡便な方法として挙げられる。揮発後粘度はゲルの洗浄力持続性の観点より１０Ｐａ・ｓ以上が好ましい。本発明の便器用洗浄剤組成物は、内径８５ｍｍのガラス製シャーレに均一に１０ｇを塗布し、４０℃、湿度５０％で３時間乾燥させたとき、（ｂ）の揮発により、２５℃における粘度が１０Ｐａ・ｓ以上のゲルを形成することが好ましい。
【００３７】
また、（ｂ）成分であるエタノールの揮発により形成されたゲルは、水に対して徐溶性であることが好ましい。ここで、水に対して徐溶性であるとは、組成物１０ｇを内径約８５ｍｍのガラス製シャーレに均一に塗布し、４０℃、湿度５０％の環境下で３時間乾燥させて生じるゲルに、２５℃の水道水１０ｇを静かに加えて１分間放置した時に、前記水道水中に（ａ）成分の一部が溶解するような物性のことである。
【００３８】
スクイズ容器に充填された本発明の組成物を吐出して便器表面に塗布する、スプレー容器に充填された本発明の組成物を噴射して便器表面に塗布する等の方法により便器表面に本発明の組成物を付着させ、エタノールが揮発するまで放置することで、上記揮発後粘度を有し、好ましくは水に対して徐溶性のゲルを形成させることができる。
【００３９】
本発明の洗浄剤組成物の２５℃でのｐＨは、好ましくは２〜１３、より好ましくは３〜１１、特に好ましくは３〜７である。ｐＨは、（株）堀場製作所ｐＨメータＤ−５２Ｓ、ｐＨ電極６３６７−１０Ｄを用いて測定したものである。
【００４０】
＜便器の洗浄方法＞
本発明の便器の洗浄方法は、本発明の洗浄剤組成物を便器に塗布し、塗布された組成物から（ｂ）エタノールを揮発させて、高粘度で好ましくは水に対して徐溶性のゲルを形成し、該ゲルに水を適用して（ａ）ポリオキシエチレンアルキルエーテルを溶出させて、便器を洗浄するものである。具体的には、下記１〜３の工程を含む。
工程１：本発明の便器用洗浄剤組成物を便器に塗布する工程。
工程２：工程１の後、１分〜３時間放置することで、工程１で塗布された組成物から（ｂ）を揮発させて塗布前の組成物よりも高粘度のゲルを形成させる工程。
工程３：工程２で形成させたゲルに水を適用して（ａ）と水とを含む洗浄媒体を生じせしめ、該洗浄媒体を便器に適用する工程。
【００４１】
工程１での洗浄剤組成物の便器への塗布は、スクイズ容器に充填された液体を吐出して便器表面に塗布する方法、スプレー容器に充填された液体を噴射して便器表面に塗布する方法等が挙げられる。洗浄剤組成物の塗布量は、便器表面への１回あたりの使用量が２ｇ〜５０ｇとなるようにすることが好ましく、より好ましくは５〜４０ｇである。洗浄力の持続性の観点より２ｇ以上が好ましく、洗浄剤組成物の使用効率の観点より５０ｇ以下が好ましい。
【００４２】
スクイズ容器としては、特に限定されるものではないが、好ましくは特開２００９−２９８４２６号公報に記載の容器が挙げられる。可撓性を有する容器本体と、容器本体の押圧変形を容器本体内で規制する押圧規制部材とを備え、容器本体を押圧することにより内容液を吐出させるタイプのものである。
【００４３】
スプレー式容器としては、特に限定されるものではないが、好ましくはトリガー式スプレーヤーが装着されたスプレー容器（トリガー式スプレー容器という）が挙げられる。トリガー式スプレー容器としては、液体洗浄剤組成物を収容する容器本体と、容器本体の口部に装着されたトリガー式液体噴出器とを具備するものが挙げられ、更には、容器本体の口部に液体洗浄剤組成物を噴出するトリガー式スプレーヤーが装着され、該トリガー式スプレーヤーの内部に垂直管路及び水平管路が形成され、該垂直管路内に該垂直管路と上記水平管路との連通を遮断するバルブが配設されたスプレー容器（スプレー容器（Ｉ）という）が挙げられる。スプレー容器（Ｉ）における上記水平管路の容積は０．１〜０．２８ｃｍ3が好ましく、上記垂直管路の上記バルブ下の容積は０．０６〜０．１９ｃｍ3が好ましい。スプレー容器（Ｉ）は、水平管路の下方位置にシリンダーを備え、また、水平管路の先端部にスピンエレメントが装着され、さらに、このスピンエレメントの先端部にノズル孔を有するノズル部が嵌着固定されている。スプレー容器（Ｉ）は、トリガーを引いて、シリンダー内の空気を外に排出し、トリガーを戻した際に容器本体の液体洗浄剤組成物に浸した垂直管路を通じて液体洗浄剤組成物を吸い上げ、上記シリンダー内に液体を満たし、再びトリガーを引くことにより、該シリンダー内の液体を押し出して垂直管路に導き、さらに水平管路、スピンエレメントを通じて液体の流れにスピンを与え、最後にノズルから噴出するタイプのものである。トリガー式スプレー容器としては、例えば、「バスマジックリン泡立ちスプレー」（花王（株））のトリガー式スプレー容器を、洗浄、乾燥させたものを使用できる。
【００４４】
工程２では、組成物から（ｂ）成分であるエタノールを揮発させて、塗布前の組成物よりも高粘度のゲルを形成させる。工程２では、組成物から（ｂ）成分であるエタノールを揮発させて、２５℃で１０Ｐａ・ｓ以上の粘度ゲルを形成させることが好ましい。工程２で形成されるゲルは、水に対して徐溶性であることが好ましい。工程１における組成物の塗布量が前記範囲である場合、通常、室温程度で数分〜数時間、具体的には１分間〜３時間、放置することで、塗布前の組成物よりも高粘度で好ましくは水に対して徐溶性のゲルが形成される。
【００４５】
工程３では、工程２で形成させたゲルに水を適用（例えば流水を接触させる等）して（ａ）と水とを含む洗浄媒体を生じせしめ、該洗浄媒体を便器に適用する。工程２で、ゲルの粘度が２５℃で１０Ｐａ・ｓ以上となった後に、工程３でのゲルへの水の適用を開始することができる。工程２で本発明の洗浄剤組成物から形成されたゲルは、一般的な水洗トイレでのフラッシュ１回あたりの洗浄であれば、水との接触により、剥離、過剰な溶解、粘度の低下等は生じず、塗布箇所に滞留して水との接触により（ａ）成分を含む洗浄成分が放出されて便器の洗浄が行われる。すなわち、（ａ）成分と水とを含む洗浄媒体が便器と接触することで洗浄が行われる。（ａ）成分と水を含む洗浄媒体は、ゲルからの水溶性成分を適宜含むことができる。本発明の洗浄剤組成物は、便器用洗浄媒体用組成物、便器用洗浄剤組成物用組成物、或いは便器用オートクリーナー用組成物であってもよい。
【００４６】
本発明では、洗浄剤組成物を、腰掛式水洗便器（いわゆる洋式便器）のリム部分（縁裏部分）に塗布することが好ましい。通常、腰掛式水洗便器では、便器本体のボウルの内壁面を洗浄するための洗浄水の供給口が設けられ、多くは、便器周辺の縁裏に水の排出口が設けられている。本発明では、工程１、２で、腰掛式水洗便器から排出される洗浄水の流路下流に本発明の洗浄剤組成物を塗布してゲルを形成させることが好ましい。
【実施例】
【００４７】
表１、２に示す各成分を用い、実施例、比較例の洗浄剤組成物を得た。なお、表２の比較例１３は特許文献１の実施例６に、また表２の比較例１４は特許文献２の実施例１０に、それぞれ記載されている組成物である。ｐＨ（２５℃）は必要に応じ６Ｎ−水酸化ナトリウム水溶液又は６Ｎ−塩酸で調整した。各洗浄剤組成物を用い、下記の方法により塗布容易性、洗浄持続性、およびリング汚れ防止性の試験を行った。また、組成物の初期粘度と揮発後粘度を以下の方法で測定した。結果を表１、２に示す。
【００４８】
（粘度の測定法）
初期粘度の測定装置は、ＴＯＫＩＭＥＣ  ＩＮＣ．製  ＴＯＫＩＭＥＣ  ＶＩＳＣＯＭＥＴＥＲ  ＭＯＤＥＬ  ＢＭを用いた。測定条件は、２５℃で、ローターはＮｏ．３を用いて、回転数を３０ｒｐｍに設定し、測定開始１分後の測定値を初期粘度とした。
【００４９】
揮発後粘度は、内径８５ｍｍのガラス製シャーレに均一に組成物１０ｇを塗布し、４０℃、湿度５０％の環境下で３時間乾燥させたサンプルを用いて測定した。エタノールを含む組成物は、この条件でエタノールが揮発する。測定装置はＡｎｔｏｎ  Ｐａａｒ社製のＰｈｙｓｉｃａ  ＭＣＲ−３０１、プレートとしてＣＰ５０−１（ｓｅｒｉｅｓ３２７５）を用い、２５℃、剪断速度が０．１ｓ-1の条件で測定した。
【００５０】
（塗布容易性）
表１の洗浄剤組成物を、５００ｍｌスクイズ容器を用いて洋式便器の縁裏部に塗布した時の塗布容易性について評価した。スクイズ容器を手で握るだけで洗浄剤組成物を吐出させることができ、洗浄剤組成物が付着し、かつ、洋式便器の縁裏に塗布できることを容易に塗布できると規定する。被験者１０名がトイレ便器縁裏への塗布作業を行い、下記評価基準により評価した。
１：０〜２名が容易に塗布できたと回答した。
２：３〜５名が容易に塗布できたと回答した。
３：６〜８名が容易に塗布できたと回答した。
４：９〜１０名が容易に塗布できたと回答した。
【００５１】
（洗浄持続性）
５００ｍｌスクイズ容器を用いて、洗浄剤組成物２０ｇを洋式便器の縁裏部に塗布し、１時間室温乾燥してゲルを形成させた。実施例では、初期粘度よりも高粘度で水に対して徐溶性のゲルが形成されていた。毎日９時から１７時まで１時間ごとにモデル汚れ（オレイン酸：４９．９５質量％、トリオレイン：４９．９５質量％、スダンIII：０．１０質量％）２０μｌをピペットで便器面へ適用したのちフラッシュ操作を行った。この操作を月曜日から金曜日の５日間連続して行い、土曜日および日曜日は操作を中断した。この操作を繰返し、下記評価基準により評価した。
１：１〜１０回のフラッシュ操作後、汚れの残留がある。
２：１１〜３０回のフラッシュ操作後、汚れの残留がある。
３：３１〜５０回のフラッシュ操作後、汚れの残留がある。
４：５０回のフラッシュ操作後、汚れの残留が無い。
【００５２】
（リング汚れ防止性）
上記洗浄持続性の評価方法を行い、便器内の液溜まり部の喫水線上にリング状の汚れが発生するまでの期間について、下記評価基準により評価した。リング汚れは一度発生したらフラッシュ操作によって容易に除去できないものであるため、一度発生した時点で試験を終了した。
１：５０回のフラッシュ操作後、リング汚れが存在する
２：５０回のフラッシュ操作後にはリング汚れが確認されず、７０回のフラッシュ操作までの間にリング汚れが確認される
３：７０回のフラッシュ操作後にはリング汚れが確認されず、９０回のフラッシュ操作までの間にリング汚れが確認される
４：９０回のフラッシュ操作後にはリング汚れが確認されず、１１０回のフラッシュ操作までの間にリング汚れが確認される
５：１１０回のフラッシュ操作後、リング汚れが存在しない
【００５３】
【表１】
0005530788.tif 000005
【００５４】
【表２】
0005530788.tif 000006
【００５５】
表中の成分は以下のものである。また、ｐは平均付加モル数である。
＊１  セチル基／ステアリル基＝１３／８７（質量比）
＊２  サニゾールＣ（花王株式会社製）
＊３  ＨＥＣダイセル  ＳＥ−９００（ダイセル化学工業株式会社製）
＊４  コータミンＤ１０Ｅ（花王株式会社製）